(57)【要約】      （修正有）【課題】乳細胞活性化を誘導するエネルギーブラジャーを提供する。【解決手段】ブラジャーは、ブラカップ１２内に機能液袋２０が設けられる。機能液袋内の液体は、規定比率のパラフィン油２１と数種の規定微量ミネラル２２及び規定比率の塩化物２３を混合した混合液である。機能液袋内における数種の規定微量ミネラル本体におけるミネラルがイオン誘導作用を生じるため、このブラジャーを装着している女性の乳房組織を自然に誘導するとともに、疎水性炭素鎖がリン脂質二重層の乳細胞膜を成して膜輸送タンパク質が起動し、乳細胞膜を膨張させる。さらに、機能液袋内の液体成分の効果により、乳細胞膜内・外薄膜間の浸透圧が増加するため、装着者体内の女性ホルモンが乳細胞膜内へ誘導されてより浸入しやすくなり、乳細胞深層へ運ばれて吸収される。【選択図】図３
0003188728.tif 000002
【実用新案登録請求の範囲】
【請求項１】
ブラジャー本体と、一つ一つのブラカップにおける隔層内に設けられた波動水袋とからなる、乳細胞活性化を誘導するエネルギーブラジャーであって、
前記波動水袋内に充填された液体は、定められた数種の規定微量ミネラルと、規定比率の塩化物と、規定比率のパラフィン油（ｐａｒａｆｆｉｎ  ｏｉｌ）とが混合されてなることを特徴とする、乳細胞活性化を誘導するエネルギーブラジャー。
【請求項２】
前記波動水袋内の液体混合液中には、豊胸を誘導する微量体と同等の効果を有する数種の規定微量ミネラル、及び規定比率の塩化物によって構成された顆粒物が混入されることを特徴とする、請求項１に記載の乳細胞活性化を誘導するエネルギーブラジャー。
【請求項３】
前記数種の規定微量ミネラルと規定比率の塩化物の成分は、
アルミニウム（Ａｌ）０．１ｐｐｍ以下、カルシウム（Ｃａ）０．８ｐｐｍ、鉄（Ｆｅ）０．１ｐｐｍ、カリウム（Ｋ）４５ｐｐｍ、マグネシウム（Ｍｇ）０．７ｐｐｍ、ナトリウム（Ｎａ）０．２％、リン（Ｐ）１．５ｐｐｍ、硫黄（Ｓ）４３ｐｐｍ、セレン（Ｓｅ）０．１ｐｐｍ、珪素（Ｓｉ）０．０３％、チタン（Ｔｉ）０．１ｐｐｍ、塩化物２１ｐｐｍであり、
且つ前記数種の規定微量ミネラルと規定比率の塩化物のＰＨ値は、９．５−１０の間であり、
導電率は、約６．５×１０＾−３Ｓであることを特徴とする、請求項１或いは請求項２に記載の乳細胞活性化を誘導するエネルギーブラジャー。
【考案の詳細な説明】
【技術分野】
【０００１】
本考案は、乳細胞活性化を誘導するエネルギーブラジャーに関し、特に、ブラジャーのブラカップ内に、定められた微量エネルギー物質を含んだ機能液袋を封入することによって、装着者の乳房における乳細胞が膨張成長するように誘導するとともに、ブラジャーを身につけて行う日常活動の中で、自然に乳房細胞の発育を刺激することができる、乳細胞活性化を誘導するエネルギーブラジャーに関する。
【背景技術】
【０００２】
胸部前方に突出した乳房は、女性が有する男性とは異なる第二次の生理的特徴である。乳房は、乳児に哺乳する母乳の源であるとともに、女性が優美な大人の体つきへと成長する際の外的象徴でもある。古くから美女の体型のスリーサイズについて語られるとき、バストサイズは欠かすことのできないものである。乳房が発育不良の女性は、遠目から姿を見られたときに男性と誤認されやすく、女性の身体的な美に欠けていると思われてしまう。このため、家庭内に女児のいる家では、我が家の女児が成長期に差し掛かったとき、乳房の発育に無関心ではいられない。加えて、女性にはおしゃれ好きという性分が備わっており、乳房の発育期において、自分の胸部の成長具合に無関心でいられる女性はほとんどいない。しかし、全ての女性の発育状況が同様に納得のいく結果になるわけではない。生まれつきの遺伝による乳房発育への影響や、発育期間における栄養管理の欠如といった後天的な原因など、種々の要素によって、乳房が発育不十分で小さくなり、身体的な美しさによる魅力が大幅に低下してしまう。さらに重要なのは、乳房の発育不足は乳腺機能にも影響を与え、将来乳児に母乳を与えるのが困難になるということである。以上の理由により、発育途中にある妙齢の女性、或いはその親族の多くが、様々な豊胸及び乳房発育補助方法によって、豊胸の願いを実現させようと力を尽くすのも無理のないことだといえる。
【０００３】
従来における豊胸及び乳房発育補助の方法として、最も即効性があるのは、注射或いは手術によるものである。しかし、注射或いは手術といった方法には一定の危険が伴い、施術を受ける人は、失敗して逆に乳房の形が崩れてより悪化してしまうのではないか、という施術前の不安が拭えず、さらに副作用及び持久性等の欠陥もある。このため一般的な豊胸方法の多くは食品によるもので、市場に流通している豊胸食品及び料理法が数多くある。これらの効果は、いずれも主に栄養素補充・女性ホルモン補充によるもので、栄養素・女性ホルモンは体内に入った後、吸収されて身体部位の発育を助ける。ただし、個人の体質の違いにより効果に差が生じやすく、全てが胸部に到達して乳房組織を成長させるための栄養を与えるとは限らないため、大量に摂取したにも拘らず、目立った豊胸効果が現れない場合が多くある。
【０００４】
この他、市場には、豊胸を目的とした物理的な手法或いは機器も存在している。例えば、低周波電撃を用いた器具、或いは乳液を胸部に塗布して行うマッサージ、古典的な真空吸引といった方法である。しかし、これらの豊胸方法の効果は証明が難しく、効果があるとは限らないだけでなく、古典的な真空吸引にいたっては、不適切な操作により、乳房に傷を付けるという逆効果をもたらす可能性もある。さらに、これらの方法は、一定期間、毎日の忙しい生活サイクルの中から、乳房を露にしてケアをする時間を捻出する必要があり、他人が間違って入ってきて見られることのないように準備をした上で、落ち着かないプライベート空間の中で、豊胸のための調整をしなければならない。よって、忙しい現代人にとって極めて不便である。
【０００５】
図１の断面図に示したように、女性の胸部には脂肪組織以外に、通常１５-２０個の腺葉１が分布している。このため、脂肪堆積の他、腺葉１の活性化も重要である。また女性の体が女性ホルモンを乳房まで確実に吸収するための鍵は、腺葉１にあるため、乳細胞の誘導、特に腺葉細胞における女性ホルモンの吸収が、豊胸が成功するか否かにとって重要である。この点こそ、従来の豊胸業者が軽視し突破できなかったことであり、その為に十分な女性ホルモンを補充しながら効果が現れないことが多くあった。
【考案の概要】
【考案が解決しようとする課題】
【０００６】
従来の豊胸法及び器具の欠点を改善するため、本考案は、女性が日常で装着するブラジャーの一つ一つのブラカップ内に機能液袋が設けられ、一定の装着時間を経て均衡状態が形成されることにより、乳細胞の増加を刺激して乳房の成長を助けるという効果を達成することができる、乳細胞活性化を誘導するエネルギーブラジャーを提供することを目的とする。
【０００７】
また、本考案は、機能液袋内の液体成分の効果により、乳細胞膜内・外薄膜間の浸透圧（ｏｓｍｏｔｉｃ  ｐｒｅｓｓｕｒｅ）が増加するため、装着者体内の女性ホルモンが誘導されてより乳細胞膜内へ浸入しやすくなり、乳細胞深層へ運ばれて吸収されるとともに、装着者体内において体内産出された女性ホルモンに加え、補充服用によって増加した女性ホルモンがより高確率で乳細胞膜内へ浸入することにより、摂食補充による相乗効果によって豊胸効果を助けることができる、乳細胞活性化を誘導するエネルギーブラジャーを提供することを目的とする。
【０００８】
また、本考案は、日常の生活サイクルを阻害することなく使用することができ、通常のブラジャーを身につけるという習慣さえあれば、長期的に日常の活動の中に取り入れて、少しずつイオンを発散して胸部の成長と豊胸を誘導することができるため、一定期間、毎日の忙しい生活サイクルの中から、乳房を露にしてケアをする時間を捻出したり、他人が間違って入ってきて見られることのないように準備をしたり、落ち着かないプライベート空間に身を置いたりする必要がなく、極めて利便性の高い使用が可能な、乳細胞活性化を誘導するエネルギーブラジャーを提供することを目的とする。
【０００９】
また、本考案は、規定の微量ミネラルによるイオン誘導豊胸により、その分量及び成分は入念に定められた配合であるとともに、台湾の経済部標準検験局・工業技術研究所化学工業所、及び昭信科技顧問有限会社によって、各種成分・毒性に関する書面による分析報告を得ているため、人々が使用上の安全性の危惧がないと推定するに足り、さらにブラジャーにおける総エネルギーの最大限界値は、平均的女性が毎日連続してブラジャーを長時間装着した場合の許容量以下に定められているため、吸収過量になることがなく、加えてその成長刺激作用は、長時間にわたって少しずつゆっくりと豊胸を誘導するものであり、古典的な真空吸引による豊胸のように、毎回緊密に乳房周囲の皮膚を覆うようにして貼り付いて急速に強力吸引して傷跡を生じさせることがなく、使用上極めて安全であり、安心して長期間装着することができる、乳細胞活性化を誘導するエネルギーブラジャーを提供することを目的とする。
【課題を解決するための手段】
【００１０】
上述の目的を達成するため、本考案は、女性が日常的に装着するブラジャーの一つ一つのブラカップ内に、機能液袋が設けられてなる。前記機能液袋内の液体は、規定比率のパラフィン油（Ｐａｒａｆｆｉｎ  ｏｉｌ）と数種の規定微量ミネラル及び規定比率の塩化物を混合した混合液である。前記機能液袋内における数種の規定微量ミネラル本体におけるミネラルがイオン誘導作用を生じるため、このブラジャーを装着している女性の乳房組織を自然に誘導し、疎水性炭素鎖がリン脂質二重層の乳細胞膜を成して膜輸送タンパク質（ｍｅｍｂｒａｎｅ  ｔｒａｎｓｐｏｒｔ  ｐｒｏｔｅｉｎｓ）が起動し、乳細胞膜を膨張させる（特に腺葉の細胞膜）。さらに、機能液袋内の液体成分の効果により、乳細胞膜内・外薄膜間の浸透圧（ｏｓｍｏｔｉｃ  ｐｒｅｓｓｕｒｅ）が増加するため、装着者体内の女性ホルモンが乳細胞膜内へ誘導されてより浸入しやすくなり、乳細胞深層へ運ばれて吸収される。
【考案の効果】
【００１１】
本考案は、以上の記述に基づき、一定の装着時間を経て均衡状態が形成されることにより、乳細胞の増加を刺激して乳房の成長を助けるという効果を達成する。
【図面の簡単な説明】
【００１２】
【図１】女性の乳房組織を示した断面図である。
【図２】本考案の乳細胞活性化を誘導するエネルギーブラジャーを示した分解図である。
【図３】図２におけるブラジャーのブラカップの構成を示した縦方向断面図である。
【図４】図３のＡ部位を示した拡大図である。
【図５】実験室実験において、本考案を使用してから０分が経過した時の顕微鏡写真の複製図である。
【図６】実験室実験において、本考案を使用してから５分が経過した時の顕微鏡写真の複製図である。
【図７】実験室実験において、本考案を使用してから８分が経過した時の顕微鏡写真の複製図である。
【図８】実験室実験において、本考案を使用してから１０分が経過した時の顕微鏡写真の複製図である。
【図９】実験室実験において、本考案を使用してから１５分が経過した時の顕微鏡写真の複製図である。
【図１０】実験室実験において、本考案を使用してから１８分が経過した時の顕微鏡写真の複製図である。
【考案を実施するための形態】
【００１３】
従来の豊胸方法及び器具の欠点は前述したとおりであり、ここで重複説明はしない。図２（本考案の乳細胞活性化を誘導するエネルギーブラジャーを示した分解図）、図３（図２におけるブラジャーのブラカップの構成を示した縦方向断面図）、及び図４（図３のＡ部位を示した拡大図）を参照する。図に示したように、本考案の乳細胞活性化を誘導するエネルギーブラジャーは、ブラジャー１０における一つ一つのブラカップ１１・１２内に、機能液袋２０が設けられる。機能液袋２０内の液体は、規定比率のパラフィン油（Ｐａｒａｆｆｉｎ  ｏｉｌ）２１と数種の規定微量ミネラル２２及び規定比率の塩化物２３を混合した混合液である。微量ミネラル２２及び規定比率の塩化物２３は、図に示したように顆粒状を呈するか、或いは微量ミネラル２２と規定比率の塩化物２３とを加え合わせて同一顆粒内に混ぜ込むことも可能である。また、微量ミネラル２２と規定比率の塩化物２３とを加え合わせる際の最も望ましい成分及び構成特性は、以下の通りである。即ち、アルミニウム（Ａｌ）０．１ｐｐｍ以下、カルシウム（Ｃａ）０．８ｐｐｍ、鉄（Ｆｅ）０．１ｐｐｍ、カリウム（Ｋ）４５ｐｐｍ、マグネシウム（Ｍｇ）０．７ｐｐｍ、ナトリウム（Ｎａ）０．２％、リン（Ｐ）１．５ｐｐｍ、硫黄（Ｓ）４３ｐｐｍ、セレン（Ｓｅ）０．１ｐｐｍ、珪素（Ｓｉ）０．０３％、チタン（Ｔｉ）０．１ｐｐｍ、塩化物２１ｐｐｍであり、且つＰＨ値は９．５−１０の間、導電率は約６．５×１０＾−３Ｓである。
【００１４】
この構成に基づき、本考案の乳細胞活性化を誘導するエネルギーブラジャーは、ブラカップ１１内の機能液袋２０内部における規定の微量ミネラル２２、及び規定比率の塩化物２３によって、乳細胞活性化の誘導効果を備える。図５から図１０の写真複製図を参照する。これらの実験写真は、大江興業株式会社の実験室で行った細胞実験の資料である。まず、使用開始０分を示した図５から始まり、次に経過時間順に、使用５分後を示した図６、使用８分後を示した図７、使用１０分後を示した図８、使用１５分後を示した図９、使用１８分後を示した図１０を参照する。図に示したように、前述した袋内における規定の微量ミネラル２２、及び規定比率の塩化物２３は、確かに細胞膜膨張の誘導作用を有する。たとえ前掲図に示した微量ミネラル２２、及び規定比率の塩化物２３が機能液袋２０内に封入され、さらにブラジャー１０のブラカップ１１内に挟み入れられて、ブラカップ１１の布地によって乳房皮膚と隔てられたとしても、機能液袋２０内における数種の規定微量ミネラル２２及び規定比率の塩化物２３本体におけるミネラルがイオン誘導作用を生じるため、このブラジャーを装着している女性の乳房組織が自然に誘導されるとともに、疎水性炭素鎖がリン脂質二重層の乳細胞膜を成して膜輸送タンパク質（ｍｅｍｂｒａｎｅ  ｔｒａｎｓｐｏｒｔ  ｐｒｏｔｅｉｎｓ）が起動することにより、乳細胞膜が膨張することが実証された。加えて、機能液袋内の液体成分の効果により、乳細胞膜内・外薄膜間の浸透圧（ｏｓｍｏｔｉｃ  ｐｒｅｓｓｕｒｅ）が増加するため、装着者体内の女性ホルモン（女性ホルモンは体内産出、或いは補充服用による）が乳細胞膜内へ誘導されてより浸入しやすくなり、乳細胞深層へ運ばれて吸収される。一定の装着時間を経て均衡状態が形成されることにより、乳細胞の増加を刺激して乳房の成長を助けるという効果が達成される。
【符号の説明】
【００１５】
１            腺葉
２１   パラフィン油
１０   ブラジャー
２２   微量ミネラル
１１   ブラカップ
１２   ブラカップ
２３   塩化物
２０   機能液袋
【図１】
0003188728.tif 000003
【図２】
0003188728.tif 000004
【図３】
0003188728.tif 000005
【図４】
0003188728.tif 000006
【図５】
0003188728.tif 000007
【図６】
0003188728.tif 000008
【図７】
0003188728.tif 000009
【図８】
0003188728.tif 000010
【図９】
0003188728.tif 000011
【図１０】
0003188728.tif 000012
【手続補正書】
【提出日】平成25年12月19日(2013.12.19)
【手続補正１】
【補正対象書類名】図面
【補正対象項目名】図５
【補正方法】変更
【補正の内容】
【図５】
0003188728.tif 000013
【手続補正２】
【補正対象書類名】図面
【補正対象項目名】図６
【補正方法】変更
【補正の内容】
【図６】
0003188728.tif 000014
【手続補正３】
【補正対象書類名】図面
【補正対象項目名】図７
【補正方法】変更
【補正の内容】
【図７】
0003188728.tif 000015
【手続補正４】
【補正対象書類名】図面
【補正対象項目名】図８
【補正方法】変更
【補正の内容】
【図８】
0003188728.tif 000016
【手続補正５】
【補正対象書類名】図面
【補正対象項目名】図９
【補正方法】変更
【補正の内容】
【図９】
0003188728.tif 000017
【手続補正６】
【補正対象書類名】図面
【補正対象項目名】図１０
【補正方法】変更
【補正の内容】
【図１０】
0003188728.tif 000018